【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
レーザーマーキング可能な成形組成物であって、
（Ａ）少なくとも１種の熱可塑性プラスチックと；
（Ｂ１）少なくとも２個のカチオンを有する、塩型の少なくとも１種の粒状感光性無機化合物であって、２個のカチオンの１つが、Ｔｉ、Ｃｒ、Ｍｎ、Ｆｅ、Ｃｏ、Ｎｉ、Ｃｕ、Ｚｎ、Ｙ、Ｚｒ、Ｎｂ、Ｍｏ、Ａｇ、Ｓｎ、Ｓｂ、Ｌａ、Ｐｒ、Ｔａ、Ｗ、またはＣｅから選択され、アニオンが、式ＡaＯo（ＯＨ）yZ-（式中、Ａは３価または５価のリン、４価のモリブデン、または６価のタングステンであり；ａ、ｏ、およびｚは、互いに独立に１〜２０の整数であり；そして、ｙは０〜１０の整数である）または炭酸イオンであり；レーザー光に曝露されるとその色を変化させ、またはポリマーマトリックスの色の変化を導く当該化合物；および／または
（Ｃ）少なくとも１種のハロゲンフリーの化合物であり、前記成形組成物の可燃性、および燃焼性性能について正の効果を有する化合物と；
（Ｄ）適切な場合、他の従来の添加剤；
を含む成形組成物。
【請求項２】
成分（Ａ）の重量割合が、前記成形組成物の全重量に対して、２０〜９９．９５重量％である、請求項１に記載のレーザーマーキング可能な成形組成物。
【請求項３】
成分（Ａ）が、ポリアセタール、ポリカーボネートを含むポリエステル、ポリアミド、ポリアリーレンエーテル、ポリアリーレンスルフィド、ポリエーテルスルホン、ポリスルホン、ポリアリールエーテルケトン、ポリオレフィン、液晶ポリマー、および１種または複数のこれらのポリマーの組合せからなる群から選択される、請求項１または２に記載のレーザーマーキング可能な成形組成物。
【請求項４】
成分（Ｂ１）が、元素周期律表の主族Ｉの第２〜第５周期の元素のカチオン、主族ＩＩおよびＩＩＩの第３〜第６周期の元素のカチオン、主族ＩＶの第５〜第６周期の元素のカチオン、あるいは遷移族ＩＩＩ〜ＶＩＩＩの第４〜第５周期の元素のカチオン、またはランタノイド元素のカチオンをさらに含む、請求項１〜３のいずれかに記載のレーザーマーキング可能な成形組成物。
【請求項５】
成分（Ｂ１）が、リン（Ｖ）酸および／またはリン（ＩＩＩ）酸のアニオンを含み、かつ、複数のカチオンとして、Ｃｕ、Ｓｎ、Ｓｂ、またはＦｅの混合物を含む、請求項１〜４のいずれかに記載のレーザーマーキング可能な成形組成物。
【請求項６】
成分（Ｂ１）が１０μｍ未満、好ましくは５μｍ未満の平均粒径を有する、請求項１〜５のいずれかに記載のレーザーマーキング可能な成形組成物。
【請求項７】
成分（Ｃ）として少なくとも１種のリン含有化合物を含む、請求項１〜６のいずれかに記載のレーザーマーキング可能な成形組成物。
【請求項８】
成分（Ｃ）として、ホスフィン酸、ジホスホン酸、および／またはそれらのポリマーの少なくとも１種の塩を含む、請求項７に記載のレーザーマーキング可能な成形組成物。
【請求項９】
成分（Ｃ）として、アルカリ金属、アルカリ土類金属、または元素周期律表の主族ＩＩＩの金属のカチオンとの、ホスフィン酸、ジホスホン酸および／またはそれらのポリマーの少なくとも１種の塩を含む、請求項８に記載のレーザーマーキング可能な成形組成物。
【請求項１０】
成分（Ｃ）として、ホスフィン酸、ジホスフィン酸および／またはそれらのポリマーの少なくとも１種のカルシウムおよび／またはアルミニウム塩を含む、請求項９に記載のレーザーマーキング可能な成形組成物。
【請求項１１】
成分（Ｃ）が、式（Ｉ）の構造単位を有する化合物を含む、請求項１０に記載のレーザーマーキング可能な成形組成物：
【化１】
2008517082.tif 000001
（式中、Ｒ１およびＲ２は、互いに独立に水素、アルキル、シクロアルキル、アリール、またはアラルキルであり；Ｍはｍ価の金属イオン、好ましくはアルカリ金属イオンもしくはアルカリ土類金属イオン、または元素周期律表の主族ＩＩＩの金属のイオンであり；ｍは１〜６の整数、好ましくは１〜３、特に２または３である）。
【請求項１２】
成分（Ｃ）が、式（ＩＩ）の構造単位を有する化合物を含む、請求項１０に記載のレーザーマーキング可能な成形組成物：
【化２】
2008517082.tif 000002
（式中、Ｒ１およびＲ２は、互いに独立に水素、アルキル、シクロアルキル、アリール、またはアラルキルであり；Ｒ３は、アルキレン、シクロアルキレン、アリーレン、またはアラルキレンであり；Ｍはｍ価の金属イオン、好ましくはアルカリ金属イオンもしくはアルカリ土類金属イオン、または元素周期律表の主族ＩＩＩの金属のイオンであり；ｎは１〜６の整数、好ましくは１〜３、特に２または３であり；ｘは１または２である）。
【請求項１３】
テトラフェニルレゾルシノールジスホスフェート、メラミンホスフェート、およびメラミンポリホスフェートから選択される少なくとも１種のリン含有化合物を含む、請求項７に記載のレーザーマーキング可能な成形組成物。
【請求項１４】
成分（Ｃ）として少なくとも１種の窒素含有化合物を含む、請求項１〜６のいずれかに記載のレーザーマーキング可能な成形組成物。
【請求項１５】
成分（Ｃ）として、ヒドロキシ基を含有する少なくとも１種の化合物を含む、請求項１〜６のいずれかに記載のレーザーマーキング可能な成形組成物。
【請求項１６】
成分（Ｃ）として少なくとも１種の無機化合物を含む、請求項１〜６のいずれかに記載のレーザーマーキング可能な成形組成物。
【請求項１７】
成分（Ｂ１）の重量割合が、前記成形組成物の全重量に対して、０．１〜１０重量％、好ましくは０．１〜３重量％、特に好ましくは０．２〜２重量％である、請求項１〜１６のいずれかに記載のレーザーマーキング可能な成形組成物。
【請求項１８】
成分（Ｃ）の重量割合が、前記成形組成物の全重量に対して、１〜５０重量％、好ましくは５〜３０重量％である、請求項１〜１７のいずれかに記載のレーザーマーキング可能な成形組成物。
【請求項１９】
リン含有成分の重量割合が、前記成形組成物の全重量に対して、０〜４０重量％、好ましくは５〜３０重量％、特に好ましくは１０〜２５重量％である、請求項７に記載のレーザーマーキング可能な成形組成物。
【請求項２０】
式（Ｉ）のホスフィン酸塩：
【化３】
2008517082.tif 000003
および／または式（ＩＩ）のジホスホン酸塩：
【化４】
2008517082.tif 000004
および／またはそれらのポリマーの重量割合が、前記成形組成物の全重量に対して、１〜４０重量％である、請求項１１または１２に記載のレーザーマーキング可能な成形組成物。
【請求項２１】
成分（Ｂ２）として、少なくとも１種の感光性もしくは光増感性酸化物であり、レーザー光に曝露されるとポリマーマトリックス内においてその色を変化させ、またはポリマーマトリックスの色の変化を導く酸化物をさらに含む、請求項１〜２０のいずれかに記載のレーザーマーキング可能な成形組成物。
【請求項２２】
成分（Ｂ２）が、元素周期律表の主族ＩＩＩおよびＩＶの第３〜第６周期の元素、主族Ｖの第５〜第６周期の元素、あるいは遷移族ＩＩＩ〜ＶＩＩＩの第４〜第５周期の元素、またはランタノイドの元素のうちの、少なくとも１種の酸化物を含む、請求項２１に記載のレーザーマーキング可能な成形組成物。
【請求項２３】
成分（Ｂ２）が、二酸化チタンまたは三酸化アンチモンを含む、請求項２２に記載のレーザーマーキング可能な成形組成物。
【請求項２４】
熱可塑性成形物のレーザーマーキング方法であって、
（ｉ）請求項１〜２３のいずれかに記載の、少なくとも１種の半結晶性熱可塑性プラスチック（Ａ）と、成分（Ｂ１）および成分（Ｃ）と、適切な場合、成分（Ｂ２）と成分（Ｄ）とを含む成形組成物から成形物を製造すること；ならびに
（ｉｉ）前記成形物の少なくとも１つの表面の所定の部分に、その照射された部位に外観の変化を生じさせるために、レーザー光を照射すること；
を含む方法。
【請求項２５】
請求項１〜２３のいずれかに記載のレーザーマーキング可能な成形組成物の成形により得ることができる成形物。
【請求項２６】
レーザー光を使用する、請求項１〜２３のいずれかに記載のレーザーマーキング可能な成形組成物から構成される成形物への照射により得ることができるレーザーマーキングされた成形物。
【請求項２７】
請求項１〜２３のいずれかに記載の成形組成物の使用であって、レーザーマーキング可能な成形物を製造するための使用、および対応するレーザーマーキングされた成形物を製造するための使用。
【手続補正２】
【補正対象書類名】明細書
【補正対象項目名】００２５
【補正方法】変更
【補正の内容】
【００２５】
本発明の可能な一実施形態において、少なくとも２つの異なるカチオンを有する混合塩が使用される。そのカチオンが、上述のカチオンを相補することができる元素は、主族ＩＩおよびＩＩＩの第３〜第６周期、主族ＩＶの第５〜第６周期、あるいは遷移族ＩＩＩ〜ＶＩＩＩの第４〜第５周期の元素、またはランタノイドの元素であり、あるいは主族Ｉの第２〜第５周期からの元素である。
【手続補正３】
【補正対象書類名】明細書
【補正対象項目名】００３３
【補正方法】変更
【補正の内容】
【００３３】
成分（Ｂ２）の適切な無機酸化物は、主族ＩＩＩおよびＩＶの第３〜第６周期、主族Ｖの第５〜第６周期、あるいは遷移族ＩＩＩ〜ＶＩＩＩの第４〜第５周期の元素を、またはランタノイドを主成分とすることができる。
【手続補正４】
【補正対象書類名】明細書
【補正対象項目名】００５４
【補正方法】変更
【補正の内容】
【００５４】
（式中、Ｒ1およびＲ2は、互いに独立に水素、アルキル、シクロアルキル、アリール、またはアラルキルであり；Ｍはｍ価の金属イオン、好ましくはアルカリ金属イオンもしくはアルカリ土類金属イオン、または元素周期表の第ＩＩＩ主族の金属のイオンであり；ｍは１〜６の整数、好ましくは１〜３、特に２または３である）である。
【手続補正５】
【補正対象書類名】明細書
【補正対象項目名】００５７
【補正方法】変更
【補正の内容】
【００５７】
（式中、Ｒ1およびＲ2は、互いに独立に水素、アルキル、シクロアルキル、アリール、またはアラルキルであり；Ｒ3は、アルキレン、シクロアルキレン、アリーレン、またはアラルキレンであり；Ｍはｍ価の金属イオン、好ましくはアルカリ金属イオンもしくはアルカリ土類金属イオン、または元素周期律表の第ＩＩＩ主族の金属のイオンであり；ｎは１〜６の整数、好ましくは１〜３、特に２または３であり；ｘは１または２である）であることが好ましい。
【手続補正６】
【補正対象書類名】明細書
【補正対象項目名】００６５
【補正方法】変更
【補正の内容】
【００６５】
Ｍは、金属のカチオン、好ましくは元素周期律表の第Ｉ、第ＩＩ、または第ＩＩＩ主族の金属のカチオンである。
Ｍの好ましい例は、リチウムの、ナトリウムの、カリウムの、マグネシウムの、カルシウムの、ストロンチウムの、バリウムの、またアルミニウムのカチオンである。カルシウムおよび／またはアルミニウムが特に好ましい。
【手続補正７】
【補正対象書類名】明細書
【補正対象項目名】００８５
【補正方法】変更
【補正の内容】
【００８５】
適切な無機化合物（Ｃ４）のさらなる例は、元素周期律表の第ＩＩ主族の金属の、金属炭酸塩、およびそれらの混合物である。適切な化合物は、式ＭｇbＣａc（ＣＯ3）b+c・ｑＨ2Ｏの炭酸マグネシウムカルシウム（式中、ｂおよびｃは１〜５の数、ｂ／ｃ≧１であり、ｑ≧０である）、およびまた式Ｍｇd（ＣＯ3）e（ＯＨ）2d-2e・ｒＨ2Ｏの塩基性炭酸マグネシウム（式中、ｄは１〜６の数であり、ｅは０を超え６未満の数であり、ｄ／ｅ＞１であり、ｒ≧０である）でもある。炭酸塩の混合物は、同様に適する。炭酸マグネシウムカルシウムおよび塩基性炭酸マグネシウムは、水和形態、あるいは無水形態のいずれかで、また表面処理しまたは無処理で使用することができる。これらのタイプの化合物の中では、ハンタイト（ｈｕｎｔｉｔｅ）および水菱苦土石などの天然産出鉱物、およびこれらの混合物がある。
【手続補正８】
【補正対象書類名】明細書
【補正対象項目名】００８７
【補正方法】変更
【補正の内容】
【００８７】
適切な無機化合物（Ｃ４）のさらなる例は、元素周期律表の第Ｉ、第ＩＩおよび第ＩＩＩ主族、ならびにまた第ＩＩ遷移族の金属の、金属ホウ酸塩、およびそれらの混合物である。特に適切な化合物は、式ｉＭｇＯ・ｋＣａＯ・ｌＡｌ2Ｏ3・ｍＺｎＯ・ｎＢ2Ｏ3・ｏＨ2Ｏ（式中、ｉ、ｋ、ｌ、ｍ、ｎ、およびｏは０〜１４の値である）のホウ酸マグネシウム、カルシウム、アルミニウムおよび亜鉛である。このホウ酸塩は水和形態、あるいは無水形態のいずれかで使用することができる。これらのタイプの化合物の中では、灰硼石（ｃｏｌｅｍａｎｉｔｅ）などの天然産出鉱物、およびこれらの混合物がある。合成ホウ酸塩の混合物が同様に適切であり、これらに実質的に対応する鉱物配合物も適切である。